(57)【要約】【課題】黒輝度の上昇を抑えつつ良好な品質で画像表示させることができるプラズマディスプレイパネルの駆動方法およびプラズマディスプレイ装置を提供する。【解決手段】維持放電を発生させないサブフィールドにつづくサブフィールドでは維持放電を発生させないように書込み放電を制御された連続する２以上のサブフィールドから構成されたサブフィールド群を１フィールド期間に少なくとも１つ含み、サブフィールド群の先頭のサブフィールドの初期化期間において全セル初期化動作を行わせるかまたは選択初期化動作を行わせるかを表示する画像信号に依存して決定し、サブフィールド群の先頭のサブフィールドにおいて初期化期間に選択初期化動作を行わせる場合の書込み放電に割り当てられた時間は、初期化期間に全セル初期化動作を行わせる場合の書込み放電に割り当てられた時間よりも長く設定した。【選択図】図７
2006293112.tif 000002
【特許請求の範囲】
【請求項１】
走査電極および維持電極とデータ電極との交差部に放電セルを形成してなるプラズマディスプレイパネルの駆動方法であって、
１フィールド期間を、前記放電セルに初期化放電を発生させる初期化期間、前記放電セルに書込み放電を発生させる書込み期間および書込み放電を発生させた放電セルに所定の輝度重みで発光させるための維持放電を発生させる維持期間を有する複数のサブフィールドから構成し、
維持放電を発生させないサブフィールドにつづくサブフィールドでは維持放電を発生させないように書込み放電を制御された連続する２以上のサブフィールドから構成されたサブフィールド群を１フィールド期間に少なくとも１つ含み、
前記サブフィールド群の先頭のサブフィールドの初期化期間において、画像表示を行うすべての放電セルに対して初期化放電を発生させる全セル初期化動作を行わせるか、または直前のサブフィールドにおいて維持放電を発生した放電セルに対して選択的に初期化放電を発生させる選択初期化動作を行わせるかのいずれかを、表示する画像信号に依存して決定し、
前記サブフィールド群の先頭のサブフィールドにおいて、初期化期間に選択初期化動作を行わせる場合の書込み放電に割り当てられた時間は、初期化期間に全セル初期化動作を行わせる場合の書込み放電に割り当てられた時間よりも長く設定したことを特徴とするプラズマディスプレイパネルの駆動方法。
【請求項２】
前記サブフィールド群の先頭のサブフィールドの初期化期間における初期化動作の決定は、表示する画像信号に対する所定のサブフィールドの点灯率に依存して決定されることを特徴とする請求項１に記載のプラズマディスプレイパネルの駆動方法。
【請求項３】
表示すべき画像信号のＡＰＬに基づいて、前記サブフィールド群に属さないサブフィールドの各々の初期化期間における初期化動作を全セル初期化動作または選択初期化動作のいずれかに決定することを特徴とする請求項１に記載のプラズマディスプレイパネルの駆動方法。
【請求項４】
請求項１から請求項３のいずれかに記載のプラズマディスプレイパネルの駆動方法を用いたプラズマディスプレイ装置。
【発明の詳細な説明】
【技術分野】
【０００１】
本発明は、プラズマディスプレイパネルの駆動方法およびそれを用いたプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで表示電極とデータ電極とが対向する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としてはサブフィールド法、すなわち１フィールド期間を複数のサブフィールドに分割した上で、発光させるサブフィールドの組み合わせによって階調表示を行う方法が一般的である。また、サブフィールド法の中でも、階調表示に関係しない発光を極力減らして黒輝度の上昇を抑え、コントラスト比を向上した新規な駆動方法が特許文献１に開示されている。
【０００４】
以下に特許文献１に記載の駆動方法について簡単に説明する。各サブフィールドはそれぞれ初期化期間、書込み期間および維持期間を有する。また、初期化期間は、画像表示を行うすべての放電セルに対して初期化放電を行わせる全セル初期化動作、または直前のサブフィールドにおいて維持放電を行った放電セルに対して選択的に初期化放電を行わせる選択初期化動作のいずれかの動作を行う。
【０００５】
全セル初期化期間はすべての放電セルで一斉に初期化放電を行い、それ以前の個々の放電セルに対する壁電荷の履歴を消すとともに、つづく書込み動作のために必要な壁電荷を形成する。加えて、放電遅れを小さくし書込み放電を安定して発生させるためのプライミング（放電のための起爆剤＝励起粒子）を発生させるという働きをもつ。選択初期化期間は直前のサブフィールドで維持放電を発生した放電セルに対して書込み動作に必要な壁電荷を形成する。つづく書込み期間では、走査電極に順次走査パルスを印加するとともに、データ電極には表示すべき画像信号に対応した書込みパルスを印加し、走査電極とデータ電極との間で選択的に書込み放電を起こし、選択的な壁電荷形成を行う。そして維持期間では、走査電極と維持電極との間に輝度重みに応じた所定の回数の維持パルスを印加し、書込み放電による壁電荷形成を行った放電セルを選択的に放電させ発光させる。そして、全セル初期化動作を行うサブフィールドを減らすことによって階調に関係しない発光を減らすことができ、黒輝度の上昇を抑えることができる。
【０００６】
ここで、画像を正しく表示するためには書込み期間における選択的な書込み放電を確実に行うことが重要であるが、回路構成上の制約から書込みパルスに高い電圧が使えないこと、データ電極上に形成された蛍光体層が放電を起こり難くしていること等、書込み放電に関しては放電遅れを大きくする要因が多い。したがって、書込み放電を安定して発生させるためのプライミングが非常に重要となる。
【特許文献１】特開２０００−２４２２２４号公報
【発明の開示】
【発明が解決しようとする課題】
【０００７】
近年、消費電力削減や輝度向上の要求にこたえるために、パネルの構造やパネル材料等に対する検討が活発になされている。たとえば、パネルに封入されている放電ガスのキセノン分圧を増加させることによりパネルの発光効率が向上することが一般に知られている。しかしながら上述のパネルおよびその駆動方法においては、キセノン分圧を増加させると書込み放電が不安定になり、書込み期間に書込み不良を生じるおそれがある等、書込み動作の駆動電圧マージンが狭くなるという課題があった。
【０００８】
本発明は、これらの課題に鑑みなされたものであり、書込み放電を安定化させることによって、黒輝度の上昇を抑えつつ良好な品質で画像表示させることができるパネルの駆動方法およびプラズマディスプレイ装置を提供することを目的とする。
【課題を解決するための手段】
【０００９】
本発明は、走査電極および維持電極とデータ電極との交差部に放電セルを形成してなるパネルの駆動方法であって、１フィールド期間を放電セルに初期化放電を発生させる初期化期間、放電セルに書込み放電を発生させる書込み期間および書込み放電を発生させた放電セルに所定の輝度重みで発光させるための維持放電を発生させる維持期間を有する複数のサブフィールドから構成し、維持放電を発生させないサブフィールドにつづくサブフィールドでは維持放電を発生させないように書込み放電を制御された連続する２以上のサブフィールドから構成されたサブフィールド群を１フィールド期間に少なくとも１つ含み、サブフィールド群の先頭のサブフィールドの初期化期間において、画像表示を行うすべての放電セルに対して初期化放電を発生させる全セル初期化動作を行わせるか、または直前のサブフィールドにおいて維持放電を発生した放電セルに対して選択的に初期化放電を発生させる選択初期化動作を行わせるかのいずれかを、表示する画像信号に依存して決定し、サブフィールド群の先頭のサブフィールドにおいて、初期化期間に選択初期化動作を行わせる場合の書込み放電に割り当てられた時間は、初期化期間に全セル初期化動作を行わせる場合の書込み放電に割り当てられた時間よりも長く設定したことを特徴とする。この方法により、書込み放電を安定化させ、黒輝度の上昇を抑えつつ良好な品質で画像表示させることができるパネルの駆動方法を提供することができる。
【００１０】
また、本発明のパネルの駆動方法は、サブフィールド群の先頭のサブフィールドの初期化期間における初期化動作の決定が、表示する画像信号に対する所定のサブフィールドの点灯率に依存して決定されてもよい。この方法によっても、黒輝度の上昇を抑えつつ良好な品質で画像表示させることができるパネルの駆動方法を提供することができる。
【００１１】
また、本発明のパネルの駆動方法は、表示すべき画像信号のＡＰＬに基づいて、サブフィールド群に属さないサブフィールドの各々の初期化期間における初期化動作を全セル初期化動作または選択初期化動作のいずれかに決定してもよい。この方法により、ＡＰＬが低ければ黒表示領域の輝度も低くコントラストの高い画像表示が可能となる。
【００１２】
また、本発明のプラズマディスプレイ装置は、請求項１から請求項３のいずれかに記載のプラズマディスプレイパネルの駆動方法を用いたプラズマディスプレイ装置である。この構成により、書込み放電を安定化させ、黒輝度の上昇を抑えつつ良好な品質で画像表示させることができるプラズマディスプレイ装置を提供することができる。
【発明の効果】
【００１３】
本発明によれば、書込み放電を安定化させることによって、黒輝度の上昇を抑えつつ良好な品質で画像表示させることができるパネルの駆動方法およびプラズマディスプレイ装置を提供することが可能となる。
【発明を実施するための最良の形態】
【００１４】
以下、本発明の一実施の形態におけるパネルの駆動方法について、図面を用いて説明する。
【００１５】
（実施の形態１）
図１は本実施の形態に用いるパネルの要部を示す斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。また、背面基板３上には絶縁体層８で覆われた複数のデータ電極９が付設され、データ電極９の間の絶縁体層８上にデータ電極９と平行して隔壁１０が設けられている。また、絶縁体層８の表面および隔壁１０の側面に蛍光体層１１が設けられている。そして、走査電極４および維持電極５とデータ電極９とが交差する方向に前面基板２と背面基板３とを対向配置しており、その間に形成される放電空間には、放電ガスとして、たとえばネオンとキセノンの混合ガスが封入されている。
【００１６】
図２は本実施の形態に用いるパネルの電極配列図である。行方向にｎ本の走査電極ＳＣＮ１〜ＳＣＮｎ（図１の走査電極４）およびｎ本の維持電極ＳＵＳ１〜ＳＵＳｎ（図１の維持電極５）が交互に配列され、列方向にｍ本のデータ電極Ｄ１〜Ｄｍ（図１のデータ電極９）が配列されている。そして、１対の走査電極ＳＣＮｉおよび維持電極ＳＵＳｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１７】
図３は本実施の形態におけるプラズマディスプレイ装置の回路ブロック図である。このプラズマディスプレイ装置は、パネル１、データ電極駆動回路１２、走査電極駆動回路１３、維持電極駆動回路１４、タイミング発生回路１５、ＡＤ（アナログ・デジタル）変換器１８、走査数変換部１９、サブフィールド変換部２０、ＡＰＬ（アベレージ・ピクチャ・レベル）検出部３０、点灯率算出部４０および電源回路（図示せず）を備えている。
【００１８】
図３において、画像信号ｓｉｇはＡＤ変換器１８に入力される。また、水平同期信号Ｈおよび垂直同期信号Ｖはタイミング発生回路１５に入力される。ＡＤ変換器１８は、画像信号ｓｉｇをデジタル信号の画像データに変換し、その画像データを走査数変換部１９およびＡＰＬ検出部３０に出力する。ＡＰＬ検出部３０は画像データの平均輝度レベルを検出する。走査数変換部１９は、画像データをパネル１の画素数に応じた画像データに変換し、サブフィールド変換部２０に出力する。サブフィールド変換部２０は、各画素の画像データを複数のサブフィールドに対応する複数のビットに分割し、サブフィールド毎の画像データをデータ電極駆動回路１２および点灯率算出部４０に出力する。点灯率算出部４０はサブフィールド毎の画像データに基づいてそのサブフィールドの点灯率、すなわち維持放電を発生させる放電セルの割合を計算する。データ電極駆動回路１２は、サブフィールド毎の画像データを各データ電極Ｄ１〜Ｄｍに対応する信号に変換し各データ電極を駆動する。
【００１９】
タイミング発生回路１５は、水平同期信号Ｈおよび垂直同期信号Ｖをもとにして各種タイミング信号を発生し各回路ブロックに供給する。走査電極駆動回路１３は、タイミング信号に基づいて走査電極ＳＣＮ１〜ＳＣＮｎに駆動波形を供給し、維持電極駆動回路１４は、タイミング信号に基づいて維持電極ＳＵＳ１〜ＳＵＳｎに駆動波形を供給する。ここで、タイミング発生回路１５はＡＰＬ検出部３０から出力されるＡＰＬおよび点灯率算出部４０から出力される点灯率信号に基づいて駆動波形を制御する。具体的には後述するように、ＡＰＬおよび点灯率信号に基づいて１フィールドを構成する各々のサブフィールドの初期化動作を全セル初期化か選択初期化かのいずれかに決定して、１フィールド内の全セル初期化動作の回数を制御するとともに、１セルあたりの書込み放電に割り当てられた時間（以下、「書込み時間」と略記する）を制御する。
【００２０】
つぎに、パネルの駆動方法について説明する。本実施の形態においては、１フィールドを１２のサブフィールド（ＳＦ１、ＳＦ２、・・・、ＳＦ１２）に分割し、各サブフィールドはそれぞれ（１、２、３、６、１１、１８、２８、３２、３４、３７、４０、４４）の輝度重みをもつものとする。
【００２１】
図４は本実施の形態に用いるパネルの各電極に印加する駆動波形図である。ここで、第１ＳＦの初期化動作は全セル初期化動作であり、第２ＳＦの初期化動作は選択初期化動作であるものとして説明する。
【００２２】
第１ＳＦの初期化期間では、データ電極Ｄ１〜Ｄｍおよび維持電極ＳＵＳ１〜ＳＵＳｎを０（Ｖ）に保持し、走査電極ＳＣＮ１〜ＳＣＮｎに対して放電開始電圧以下となる電圧Ｖｐ（Ｖ）から、放電開始電圧を超える電圧Ｖｒ（Ｖ）に向かって緩やかに上昇するランプ電圧を印加する。すると、すべての放電セルにおいて１回目の微弱な初期化放電を起こし、走査電極ＳＣＮ１〜ＳＣＮｎ上に負の壁電圧が蓄えられるとともに、維持電極ＳＵＳ１〜ＳＵＳｎ上およびデータ電極Ｄ１〜Ｄｍ上に正の壁電圧が蓄えられる。ここで、電極上の壁電圧とは、電極を覆う誘電体層上あるいは蛍光体層上等に蓄積した壁電荷により生じる電圧をあらわす。
【００２３】
その後、維持電極ＳＵＳ１〜ＳＵＳｎを正の電圧Ｖｈ（Ｖ）に保ち、走査電極ＳＣＮ１〜ＳＣＮｎに電圧Ｖｇ（Ｖ）から電圧Ｖａ（Ｖ）に向かって緩やかに下降するランプ電圧を印加する。すると、すべての放電セルにおいて２回目の微弱な初期化放電を起こし、走査電極ＳＣＮ１〜ＳＣＮｎ上の壁電圧および維持電極ＳＵＳ１〜ＳＵＳｎ上の壁電圧が弱められ、データ電極Ｄ１〜Ｄｍ上の壁電圧も書込み動作に適した値に調整される。
【００２４】
このように、全セル初期化動作では、すべての放電セルにおいて初期化放電が行われ、プライミングを発生させる。
【００２５】
つづく書込み期間では、走査電極ＳＣＮ１〜ＳＣＮｎを一旦Ｖｓ（Ｖ）に保持する。つぎに、データ電極Ｄ１〜Ｄｍのうち、１行目に表示すべき放電セルのデータ電極Ｄｋ（ｋ＝１〜ｍ）に正の書込みパルス電圧Ｖｗ（Ｖ）を印加するとともに、１行目の走査電極ＳＣＮ１に負の走査パルス電圧Ｖｂ（Ｖ）を印加する。すると走査電極ＳＣＮ１とデータ電極Ｄｋとの間には書込みパルス電圧と走査パルス電圧とが加算された電圧Ｖｗ＋Ｖｂ（Ｖ）が印加され放電開始電圧を超えるので、走査電極ＳＣＮ１とデータ電極Ｄｋとの交差部で放電が発生し、対応する放電セルの走査電極ＳＣＮ１と維持電極ＳＵＳ１との間の放電に進展する。そしてつづく維持放電に必要な壁電荷が蓄積される。こうして１行目の書込みパルス電圧Ｖｗ（Ｖ）を印加した放電セルの書込み放電が終了する。一方、書込みパルス電圧Ｖｗ（Ｖ）を印加しなかった放電セルには書込み放電は発生せず壁電荷が蓄積されない。このとき、２行目以降の放電セルのデータ電極Ｄｋにも正の書込みパルス電圧Ｖｗ（Ｖ）が印加されるが、対応する２行目以降の走査電極には負の走査パルス電圧Ｖｂ（Ｖ）が印加されないので、２行目以降の走査電極とデータ電極Ｄｋとの間に印加される電圧は書込みパルス電圧Ｖｗ（Ｖ）のみであり放電開始電圧を超えないので書込み放電が発生することはない。
【００２６】
つづいて、２行目に表示すべき放電セルのデータ電極Ｄｋに正の書込みパルス電圧Ｖｗ（Ｖ）を印加するとともに、２行目の走査電極ＳＣＮ２に負の走査パルス電圧Ｖｂ（Ｖ）を印加する。すると走査電極ＳＣＮ２とデータ電極Ｄｋとの間には書込みパルス電圧と走査パルス電圧とが加算された電圧Ｖｗ＋Ｖｂ（Ｖ）が印加され放電開始電圧を超え、２行目の書込みパルス電圧Ｖｗ（Ｖ）を印加した放電セルの書込み放電が発生する。一方、書込みパルス電圧Ｖｗ（Ｖ）を印加しなかった放電セルには書込み放電は発生せず壁電荷が蓄積されない。この場合にも、３行目以降の放電セルの走査電極とデータ電極Ｄｋとの間に印加される電圧は書込みパルス電圧Ｖｗ（Ｖ）のみであり放電開始電圧を超えないので書込み放電が発生することはない。
【００２７】
以上の書込み動作をｎ行目の放電セルに至るまで順次行い、書込み期間が終了する。
【００２８】
つづく維持期間では、まず、維持電極ＳＵＳ１〜ＳＵＳｎを０（Ｖ）に戻し、走査電極ＳＣＮ１〜ＳＣＮｎに正の維持パルス電圧Ｖｍ（Ｖ）を印加する。このとき、書込み放電を起こした放電セル内では、維持パルス電圧Ｖｍ（Ｖ）に壁電荷による電圧が加算され放電開始電圧を超え維持放電が発生する。そして極性の反転した壁電荷が放電セル内に蓄積する。つづいて、走査電極ＳＣＮ１〜ＳＣＮｎを０（Ｖ）に戻し、維持電極ＳＵＳ１〜ＳＵＳｎに正の維持パルス電圧Ｖｍ（Ｖ）を印加すると、放電セル内で維持放電が起こり、壁電荷の極性が反転する。以降同様に、走査電極ＳＣＮ１〜ＳＣＮｎと維持電極ＳＵＳ１〜ＳＵＳｎとに交互に維持パルスを印加することにより、書込み期間において書込み放電を起こした放電セルでは維持放電が継続して行われる。
【００２９】
第２ＳＦの初期化期間では、維持電極ＳＵＳ１〜ＳＵＳｎをＶｈ（Ｖ）に保持し、データ電極Ｄ１〜Ｄｍを０（Ｖ）に保持し、走査電極ＳＣＮ１〜ＳＣＮｎに電圧Ｖａ（Ｖ）に向かって下降するランプ電圧を印加する。すると前のサブフィールドの維持期間で維持放電を行った放電セルでは、微弱な初期化放電が発生し、つづく書込み動作に必要な壁電荷が形成される。一方、前のサブフィールドで書込み放電および維持放電を行わなかった放電セルについては放電することはなく、前のサブフィールドの初期化期間終了時における壁電荷状態がそのまま保たれる。
【００３０】
このように、選択初期化動作は、前のサブフィールドで維持放電を行った放電セルにおいて初期化放電を行うので、維持放電を行わなかった放電セルではプライミングが発生しない。
【００３１】
第２ＳＦの書込み期間の動作は第１ＳＦの書込み期間の動作と同様である。また、第２ＳＦの維持期間の輝度重みは第１ＳＦとは異なるものの、それ以外は第１ＳＦの書込み期間の動作と同様である。第３ＳＦ以降のサブフィールドについても上述したように、初期化期間では全セル初期化動作または選択初期化動作、書込み期間では書込み動作、維持期間では維持動作を行うため説明を省略する。
【００３２】
つぎに、本実施の形態の駆動方法のサブフィールド構成について説明する。上述したように、１フィールドが１２のサブフィールドで構成されているものとして説明するが、本発明はサブフィールド数や各サブフィールドの輝度重みがこれに限定されるものではない。
【００３３】
図５は本実施の形態における表示階調と、その階調を表示するために発光させるサブフィールドの組み合わせ、いわゆるコーディングを示した図である。ここで「１」で示したサブフィールドは発光させるサブフィールド、空欄のサブフィールドは発光させないサブフィールドである。本実施の形態のコーディングの特徴は、第１ＳＦ〜第６ＳＦにおいては表示すべき階調に応じてランダムにサブフィールドの発光、非発光が決められている。以下、このような階調の表示方法をランダムコーディングと称する。また第７ＳＦ〜第１２ＳＦにおいては、維持放電を発生させないサブフィールドにつづくサブフィールドで維持放電を発生させないように書込み放電が制御されている。したがって、第７ＳＦを先頭にして発光するサブフィールドが連続するように、サブフィールドの発光、非発光が決められている。以下、このような階調の表示方法を連続コーディングと称する。連続コーディングを用いて階調を表示するといわゆる動画擬似輪郭が発生しないという長所がある。しかしその反面、表示できる階調が著しく制限されてしまうという弱点もある。本実施の形態においては連続コーディングのこのような弱点を補うために、１フィールドを構成する１２のサブフィールドを２つのサブフィールド群に分け、輝度重みの大きいサブフィールド群（第７ＳＦ〜第１２ＳＦ）では連続コーディングを用い、輝度重みの小さいサブフィールド群（第１ＳＦ〜第６ＳＦ）では表示階調を増やすためにランダムコーディングを用いて階調を表示している。
【００３４】
ところで、この場合、連続コーディングを用いるサブフィールド群のうち先頭のサブフィールドを除く第８ＳＦ〜第１２ＳＦの書込み期間を短く設定することができる。それは、第８ＳＦ〜第１２ＳＦのいずれかのサブフィールドを発光させる場合、必ずその直前のサブフィールドも発光するサブフィールドであり、直前のサブフィールドの維持期間において維持放電による十分なプライミング効果が得られ、つづくサブフィールドの書込み放電が安定するためである。しかしながら、連続コーディングの先頭のサブフィールドである第７ＳＦについては、その直前のサブフィールドが必ず発光するサブフィールドであるとは限らない。そのため、連続コーディングの先頭のサブフィールドでは全セル初期化動作を行い、つづく書込み動作を確実にすることが望ましいが、全セル初期化動作は黒輝度が上昇し、また駆動に要する時間も長くなる。そこで本発明においては、連続コーディングのサブフィールドの点灯率を予測し、点灯率が高いときに限ってこのサブフィールドの初期化を全セル初期化とするものである。本実施の形態においては、第１１ＳＦの点灯率を予測し、その値が閾値４０％以上となる場合には第７ＳＦの初期化期間に全セル初期化を行い書込み動作を安定させ、閾値４０％未満の場合には選択初期化動作を行って黒輝度の上昇を抑制している。
【００３５】
本実施の形態においては、これに加えて、ＡＰＬに基づいても全セル初期化回数を制御している。図６は本実施の形態におけるパネルの駆動方法のサブフィールドの構成図であり、表示すべき画像信号のＡＰＬおよび所定のサブフィールドの点灯率に基づいてサブフィールド構成を切替えている。図６（ａ）は、ＡＰＬが１．５％未満の画像信号時に使用する構成であり、第１ＳＦの初期化期間のみ全セル初期化動作を行い、第２ＳＦ〜第１２ＳＦの初期化期間は選択初期化動作を行うサブフィールド構成である。図６（ｂ）は、ＡＰＬが１．５％以上かつ第１１ＳＦの点灯率が４０％未満の画像信号時に使用する構成であり、第１ＳＦおよび第５ＳＦの初期化期間が全セル初期化期間、第２ＳＦ〜第４ＳＦと第６ＳＦ〜第１２ＳＦの初期化期間は選択初期化期間であるサブフィールド構成となっている。図６（ｃ）は、ＡＰＬが１．５％以上かつ第１１ＳＦの点灯率が４０％以上の画像信号時に使用する構成であり、第１ＳＦ、第４ＳＦ、第７ＳＦの初期化期間は全セル初期化期間、第２ＳＦ、第３ＳＦ、第５ＳＦ、第６ＳＦ、第８ＳＦ〜第１２ＳＦの初期化期間は選択初期化期間であるサブフィールド構成となっている。
【００３６】
このように、本実施の形態においては、ＡＰＬの低い画像表示時においては黒の画像表示領域が広いと考えられるため全セル初期化回数を減らし、黒表示品質を向上している。逆に、ＡＰＬの高い画像表示時においては黒表示領域が無いかわずかの面積であると考えられるので、全セル初期化回数を増やしプライミングを増やすことによって書込み放電の安定化を図っている。さらに連続コーディングの所定のサブフィールドの点灯率を予測し、点灯率が高いときには連続コーディングの先頭のサブフィールドも全セル初期化とし、さらに書込み放電の安定化を図っている。したがって、輝度の高い領域があってもＡＰＬが低ければ黒表示領域の輝度が低くコントラストの高い画像表示が可能となり、ＡＰＬが高く点灯率も高ければ連続コーディングの先頭のサブフィールドで全セル初期化動作を行い安定した画像表示が可能となる。
【００３７】
しかし、ＡＰＬの低い画像表示時において第６ＳＦの初期化を選択初期化にすると放電遅れが大きくなり表示品質が劣化する可能性がある。そこで本実施の形態においては、連続コーディングの先頭のサブフィールドの初期化が選択初期化の場合には書込み期間を長く、全セル初期化の場合には書込み期間を短く設定している。
【００３８】
図７は、本実施の形態におけるパネルの駆動方法における書込み時間を示す図である。このように、第１ＳＦの初期化期間のみ全セル初期化動作を行う場合には、第１ＳＦから第１２ＳＦまでの１セルあたりの書込み時間をそれぞれ（２．３μｓ、１．９μｓ、１．８μｓ、１．８μｓ、１．８μｓ、１．８μｓ、１．８μｓ、１．５μｓ、１．５μｓ、１．５μｓ、１．５μｓ、１．５μｓ）と設定した。また、第１ＳＦおよび第５ＳＦの初期化期間で全セル初期化動作を行う場合には、第１ＳＦから第１２ＳＦまでの１セルあたりの書込み時間をそれぞれ（１．８μｓ、１．８μｓ、１．８μｓ、２．１μｓ、１．５μｓ、１．８μｓ、１．８μｓ、１．５μｓ、１．５μｓ、１．５μｓ、１．５μｓ、１．５μｓ）と設定した。さらに、第１ＳＦ、第４ＳＦおよび第７ＳＦの初期化期間で全セル初期化動作を行う場合には、第１ＳＦから第１２ＳＦまでの１セルあたりの書込み時間をそれぞれ（１．８μｓ、１．８μｓ、１．８μｓ、１．８μｓ、１．８μｓ、１．８μｓ、１．５μｓ、１．５μｓ、１．５μｓ、１．５μｓ、１．５μｓ、１．５μｓ）と設定した。
【００３９】
ここで、連続コーディングの先頭のサブフィールド、すなわち第７ＳＦの書込み時間に注目すると、第７ＳＦの初期化期間に全セル初期化動作を行う場合には書込み時間は１．５μｓと設定し、選択初期化動作を行う場合には書込み時間は１．８μｓと設定している。このため、連続コーディングの先頭のサブフィールドの初期化期間が全セル初期化動作でなくプライミングが不足する可能性があっても、つづく書込み期間の書込み時間が長く設定されているので、確実な書込み放電が発生し、安定した維持放電を発生させることができる。
【００４０】
なお、本実施の形態においては、１フィールドを１２のサブフィールドで構成し、全セル初期化回数を１〜３回の範囲で制御し、先頭に近いサブフィールドの初期化を優先する例を示したが、本発明はこれに限定されるものではない。さらに本実施の形態においては、所定のサブフィールドとして第１１ＳＦの点灯率を用いたが、所定のサブフィールドとしては第１１ＳＦに限定されるものではなく、１つのサブフィールドに限定されるものでもない。たとえば複数のサブフィールドの点灯率に輝度重みを乗じた合計の値を用いてもよい。
【００４１】
（実施の形態２）
本発明の実施の形態２に用いるパネルおよびプラズマディスプレイ装置の構成図は実施の形態１と同様である。実施の形態２が実施の形態１と異なるところはサブフィールド構成である。図８は本実施の形態のサブフィールド構成を示す図である。本実施の形態においては、１フィールドを１４のサブフィールド（ＳＦ１、ＳＦ２、・・・、ＳＦ１４）に分割し、各サブフィールドはそれぞれ（１、２、４、８、２０、３２、５６、４、１２、１６、１６、２０、３２、３２）の輝度重みをもつものとする。本実施の形態のサブフィールド構成およびコーディングの特徴は、第１ＳＦから第７ＳＦまでの輝度重みは単調に増加しているが、第８ＳＦの輝度重みが一旦小さくなり、その後再び単調に増加している点である。このようなサブフィールドの並べ方は、たとえばＰＡＬ方式の画像信号のようにフィールド周波数の低い画像信号に対してフリッカの発生を抑制する上で有効である。そして第１ＳＦ〜第５ＳＦはランダムコーディング、第６ＳＦ、第７ＳＦは連続コーディング、第８ＳＦ〜第１０ＳＦはランダムコーディング、第１１ＳＦ〜第１４ＳＦは連続コーディングを用いて階調を表示している。さらに本実施の形態においても、画像信号のＡＰＬおよび所定のサブフィールドの点灯率に依存してサブフィールド構成を切替えている。
【００４２】
図８（ａ）は、ＡＰＬが１．５％未満の画像信号時に使用する構成であり、第１ＳＦの初期化期間のみ全セル初期化動作を行い、第２ＳＦ〜第１４ＳＦの初期化期間は選択初期化動作を行うサブフィールド構成である。図８（ｂ）は、ＡＰＬが１．５％以上かつ第１３ＳＦの点灯率が４０％未満の画像信号時に使用する構成であり、第１ＳＦおよび第８ＳＦの初期化期間が全セル初期化期間、第２ＳＦ〜第７ＳＦと第９ＳＦ〜第１４ＳＦの初期化期間は選択初期化期間であるサブフィールド構成となっている。図８（ｃ）は、ＡＰＬが１．５％以上かつ第１３ＳＦの点灯率が４０％以上の画像信号時に使用する構成であり、第１ＳＦ、第８ＳＦ、第１１ＳＦの初期化期間は全セル初期化期間、第２ＳＦ〜第７ＳＦ、第９ＳＦ、第１０ＳＦ、第１２ＳＦ〜第１４ＳＦの初期化期間は選択初期化期間であるサブフィールド構成となっている。
【００４３】
このように、本実施の形態においても、ＡＰＬの低い画像表示時においては全セル初期化回数を減らし黒表示品質を向上している。逆に、ＡＰＬの高い画像表示時においては全セル初期化回数を増やしプライミングを増やすことによって書込み放電の安定化を図っている。さらにここでも、サブフィールド群の先頭のサブフィールドにおいて、初期化期間に選択初期化動作を行わせる場合の書込み放電に割り当てられた時間は、初期化期間に全セル初期化動作を行わせる場合の書込み放電に割り当てられた時間よりも長く設定している。
【００４４】
図９は、本実施の形態におけるパネルの駆動方法における書込み時間を示す図である。連続コーディングを行うサブフィールド群、第１１ＳＦ〜第１４ＳＦの先頭のサブフィールド、すなわち第１１ＳＦの書込み時間に注目すると、第１３ＳＦの点灯率を予測し、点灯率が高いときには第１１ＳＦの初期化動作も全セル初期化とし、さらに書込み放電の安定化を図っている。また点灯率が低いときには第１１ＳＦの初期化動作は選択初期化としてコントラストの向上を図るとともに、書込み時間を１．８μｓと長く設定することによりプライミングが不足する可能性があっても確実な書込み放電が発生し、安定した維持放電を発生させることができる。したがって、輝度の高い領域があってもＡＰＬが低ければ黒表示領域の輝度が低くコントラストの高い画像表示が可能となり、ＡＰＬが高く点灯率も高ければ連続コーディングの先頭のサブフィールドで全セル初期化動作を行い安定した画像表示が可能となる。
【産業上の利用可能性】
【００４５】
本発明のパネルの駆動方法によれば、黒輝度の上昇を抑えつつ良好な品質で画像表示させることができるので、パネルを用いた画像表示装置等として有用である。
【図面の簡単な説明】
【００４６】
【図１】本発明の実施の形態１に用いるパネルの要部を示す斜視図
【図２】本発明の実施の形態１に用いるパネルの電極配列図
【図３】本発明の実施の形態１におけるプラズマディスプレイ装置の回路ブロック図
【図４】本発明の実施の形態１に用いるパネルの各電極に印加する駆動波形図
【図５】本発明の実施の形態１におけるコーディングを示した図
【図６】本発明の実施の形態１におけるサブフィールドの構成図
【図７】本発明の実施の形態１における書込み時間を示す図
【図８】本発明の実施の形態２におけるサブフィールドの構成図
【図９】本発明の実施の形態２における書込み時間を示す図
【符号の説明】
【００４７】
１    パネル
２    前面基板
３    背面基板
４    走査電極
５    維持電極
９    データ電極
１２    データ電極駆動回路
１３    走査電極駆動回路
１４    維持電極駆動回路
１５    タイミング発生回路
１８    ＡＤ変換器
１９    走査数変換部
２０    サブフィールド変換部
３０    ＡＰＬ検出部
４０    点灯率算出部
【図１】
2006293112.tif 000003
【図２】
2006293112.tif 000004
【図３】
2006293112.tif 000005
【図４】
2006293112.tif 000006
【図５】
2006293112.tif 000007
【図６】
2006293112.tif 000008
【図７】
2006293112.tif 000009
【図８】
2006293112.tif 000010
【図９】
2006293112.tif 000011